(57)【要約】【課題】エビネの自然な香りを有する香料組成物を提供する。【解決手段】Ｌ体の比率が６７％以上になるようにリナロールを配合する。【選択図】図１
2012046434.tif 000002
【特許請求の範囲】
【請求項１】
Ｌ体の比率が６７％以上であるリナロールを含有する、エビネ様香料組成物。
【請求項２】
メチルベンゾエート、ネロリドールおよびインドールをさらに含有する請求項１記載のエビネ様香料組成物。
【請求項３】
リナロール全体の配合量が香料組成物全量に対して０．０１〜４０質量％であることを特徴とする請求項１または２記載のエビネ様香料組成物。
【請求項４】
メチルベンゾエート、ネロリドール、インドールを含むエビネ様ベース香料に、Ｌ体の比率が６７％以上になるようにリナロールを添加することを含む、エビネ様香料組成物の製造方法。
【発明の詳細な説明】
【技術分野】
【０００１】
本発明は、香料組成物、特にエビネ様の優れた香りを有するエビネ様香料組成物に関する。
【背景技術】
【０００２】
ニオイエビネは、ラン科エビネ属の常緑多年草であり、甘くやわらかな良好な香りの気品のある青紫色の花をつけ、観賞用植物として多くの人々に愛されている。特に近年、他の蘭科の植物とまた一味違ったエビネの特異かつ甘美な香りが注目され、エビネ様の香りを人工的に調合したエビネの香りの芳香剤、フレグランスまたは香水などが商品化されている。【０００３】
しかしながら、従来のそのようなエビネの香りを模した調合香料は、多少メタリックな匂いがして、実際に花が咲いているときに感じられる自然なやわらかさをもつエビネの香りに至っていないのが実情であった。【０００４】
非特許文献１には、Linalool（リナロール）がエビネの主要香料成分であることが記載されている。リナロールは多くの植物の精油成分であることが分っており、種々の植物から異なる光学純度の光学活性リナロールが得られ、また化学合成による光学活性リナロールの製造方法も報告されている（特許文献１）。
【先行技術文献】
【特許文献】
【０００５】
【特許文献１】特開平９−２７８号明細書
【非特許文献】
【０００６】
【非特許文献１】Flavour Frag.J., 12, 327 (1997)
【発明の概要】
【発明が解決しようとする課題】
【０００７】
本発明は、上記のような事情に鑑み、エビネの花が咲いているときのようなやわらかく自然な香りを有するエビネ様香料組成物を提供することを目的とするものである。
【課題を解決するための手段】
【０００８】
本発明者は、エビネの自然な香りをより忠実に再現すべく鋭意検討を行った結果、配合するリナロールのＬ体の比率を６７％以上にすることにより、従来のエビネ様香料組成物におけるメタリックな匂いが改善され、より自然なエビネの香りを再現できることを見出し、本発明を完成するに至った。従来のエビネ様香料組成物ではリナロールのラセミ体（Ｌ体とＤ体の等量混合物）が配合されており、リナロールの光学異性体の比率がエビネの香りに影響し得ることは全く知られていなかった。【０００９】
本発明のエビネ様香料組成物は、Ｌ体の比率が６７％以上であるリナロールを含有することを特徴とする。Ｌ体が６７％以上になるようにリナロールを配合することにより、エビネの自然な香りを有する香料組成物を提供することができる。【００１０】
本発明のエビネ様香料組成物は通常、エビネ様ベース香料として、メチルベンゾエート、ネロリドールおよびインドール等をさらに含有する。【００１１】
本発明のエビネ様香料組成物において、リナロール全体の配合量は、香料組成物全量に対して０．０１〜４０質量％であることが好ましい。【００１２】
また、本発明のエビネ様香料組成物の製造方法は、メチルベンゾエート、ネロリドール、インドールを含むエビネ様ベース香料に、Ｌ体の比率が６７％以上になるようにリナロールを添加することを特徴とする。
【発明の効果】
【００１３】
本発明のエビネ様香料組成物は、Ｌ体の比率が６７％以上になるようにリナロールを配合することにより、従来のエビネ様香料組成物のメタリックな匂いが改善され、より生花に近い自然なエビネの香りを提供することができる。
【図面の簡単な説明】
【００１４】
【図１】エビネ様香料組成物の香気に対するリナロールのＬ体の比率の影響を検討した香気評価試験の結果を示すグラフ。
【発明を実施するための形態】
【００１５】
リナロールのＬ体（（Ｒ）リナロール）およびＤ体（（Ｓ）リナロール）の構造式を以下に示す。
【化１】
2012046434.tif 000003
【００１６】
リナロールは、多くの植物の精油成分であり、様々なフレーバーやフレグランスの香料原料として市販されている。また、種々の植物から抽出により、異なる光学純度の光学活性リナロールを得ることができ、あるいは、特開平９−２７８号明細書に記載されているように、Ｌ体およびＤ体をそれぞれ化学合成により製造することが可能である。Ｌ−リナロールはＦｌｕｋａ社からおよびリナロールのラセミ体はＢＡＳＦ社から市販されており、例えば、それらを適切な割合で配合することにより、所望の比率でＬ体を含むリナロールを調製できる。
【００１７】
本発明の香料組成物において、リナロール中のＬ体の比率は６７％以上であるが、好ましくは７０％以上であり、より好ましくは８０％以上であり、さらに好ましくは９０％以上である。Ｌ体の比率が６７％以上になるようにリナロールを配合することにより、より生花に近い自然なエビネの香りを再現することができる。
【００１８】
本発明において、リナロール全体の配合量は、香料組成物全量に対して、０．０１〜４０質量％であることが好ましく、より好ましくは０．０５〜３０質量％であり、さらに好ましくは０．１〜２０質量％である。リナロールの配合量が０．０１質量％未満ではエビネの香りを充分醸し出すことができない場合があり、また４０質量％より高くなると、香気のバランスが悪くなり、エビネの持つ甘くやわらかな香りを再現できない場合がある。
【００１９】
本発明のエビネ様香料組成物は、公知のエビネ様香料組成物におけるリナロールを、Ｌ体を６７％以上含むリナロールで置き換えることにより調製することができる。すなわち、リナロールを除くエビネ様ベース香料に、Ｌ体の比率が６７％以上になるようにリナロールを添加することにより、本発明のエビネ様香料組成物を調製できる。そのようなエビネ様ベース香料として公知のものを用いることができるが、少なくともメチルベンゾエート、ネロリドールおよびインドールを含むことが好ましく、より好ましくはサリチル酸メチル、ゲラニオール等をさらに含む。
【００２０】
尚、本発明の香料組成物には、そのナチュラルなエビネ様香気を阻害しない限り、ポリオキシエチレンラウリル硫酸エーテルなどの界面活性剤、ジプロピレングリコール、ジエチルフタレートなどの溶剤、ダマスコン、ヘキシルシンナミックアルデヒド、レモンオイル、ローズオイルなどの香料物質などを配合可能である。
【００２１】
本発明のエビネ様香料組成物は、限定はされないが、入浴剤、香水、オーデコロン、芳香剤の他、軟膏、クリーム、乳液、ローション、パック、ファンデーション、頬紅、おしろい、アイシャドー、口紅、あぶら取り紙、紙おしろい、シャンプー、リンス、ヘアスプレー、制汗スプレー、ボディパウダー、ベビーパウダー等の化粧料；ティッシュペーパーやペーパータオル、ナプキン、ノート、メモ帳等の紙用品；雑巾、歯磨き粉、マスク、医療用ガーゼ、柔軟仕上げ剤、衣料用洗浄剤、台所用洗浄剤、芳香剤等の日用雑貨類、食品等に応用可能である。化粧料に配合する場合、その配合量は特に限定されるものではないが、一般的な濃度範囲、例えば化粧料全量に対し０．００１〜５０質量％とすることができる。
【実施例】
【００２２】
以下、実施例を挙げて本発明を具体的に説明するが、本発明は下記の実施例に限定されるものではない。配合例は特記しない限り、その成分が配合される系に対する質量％で示す。【００２３】
（１）エビネ様ベース香料
以下の実施例では、下記組成のエビネ様ベース香料を用いた：
成分                        配合量（質量％）          
メチルヘプテノン                        ０．５
１０％メロナール                        ０．５
リナロールオキシド（ＴＨＦ）            ２．０
１０％アルデヒドＣ１０                  ０．６
ベンズアルデヒド                        ０．６
１０％ホトリエノール                  ２５．０
メチルベンゾエート                    ２８．０
α−テルピネオール                      ０．２
１，４−ジメトキベンゼン                ０．２
１０％サリチル酸メチル                  ０．６
イソブチルベンゾエート                  ０．６
ゲラニオール                            １．０
ブチルベンゾエート                      ０．２
ベンジル２−メチルブチレート            ０．２
イソアミルベンゾエート                  ０．６
ネロリドール                            ６．０
インドール                              ２．５
ベンジルベンゾエート                    ６．０
フェニルエチルベンゾエート              ０．２
ジプロピレングリコール                ２４．５                  
合計                      １００．０【００２４】
（２）香料組成物の調製
上記のエビネ様ベース香料に、下記表１に示すように、リナロールのラセミ体（Ｌ体とＤ体の等量混合物）とＬ−リナロールとを異なる比率で添加して、５０〜１００％の間の様々な比率でＬ体を含む香料組成物（試験例１〜６）を調製した。【００２５】
（３）香気評価試験
専門パネラー７名により、各香料組成物の塗布直後の香気、ならびに塗布２時間後の香気（保香性）について、以下の評価基準により評価した：
５：非常に優れたエビネ様の自然な香気を有する
４：優れたエビネ様の自然な香気を有する
３：エビネ様の自然な香気を有する
２：エビネ様の香気を有する
１：エビネ様の香気はほとんどしない。【００２６】
結果を平均値として下記表１、ならびに図１に示す。
【表１】
2012046434.tif 000004
【００２７】
配合したリナロール中のＬ体の比率が６７％〜１００％の試験例３〜６において、塗布直後の香気の評価において、従来技術のＬ体の比率が５０％の試験例１よりも有意に高い評価が得られ、リナロールのＬ体の比率を約６７％以上にすることにより、自然なエビネの香りをより忠実に再現した香料組成物を調製できることが示された。特に、Ｌ体の比率が８０％以上になると評価点が顕著に高くなり、さらに９０％以上になると塗布２時間後の評価点も有意に高く、保香性も優れていることが示された。
【図１】
2012046434.tif 000005
【国際調査報告】
2012046434.tif 000006
2012046434.tif 000007
2012046434.tif 000008
2012046434.tif 000009